(57)【特許請求の範囲】
【請求項１】
水槽と、該水槽内に連通する泡沫分離槽と、該泡沫分離槽で処理された水をろ過するろ過槽と、前記泡沫分離槽内に設けられた泡沫分離分散器に空気を送るエアーポンプと、前記ろ過槽内に収容されたろ材を逆洗浄すべく空気を噴出する逆洗浄装置とを備え、前記水槽内に貯留された水を、ろ過槽を通過させて処理した後に水槽内に循環するように構成した活魚水槽装置におけるろ過槽の逆洗浄構造であって、
前記逆洗浄装置は、複数個がろ過槽の下部に設けられ、各逆洗浄装置には、それぞれ独立して空気を送る供給管が接続され、前記エアーポンプと前記泡沫分離分散器とを接続する配管には、前記逆洗浄装置に空気を供給するための逆洗浄用管が接続され、前記エアーポンプは、前記泡沫分離分散器または前記逆洗浄装置の何れか一方に空気を供給すべく、切換え可能に構成され、
しかも、前記逆洗浄用管に、前記逆洗浄装置の供給管を選択して接続できるように、前記逆洗浄用管の端部には、可撓性を有するフレキシブルホースの一端が接続され、該フレキシブルホースの他端は、前記逆洗浄装置の供給管と着脱自在に構成されたことを特徴とする活魚水槽装置におけるろ過槽の逆洗浄構造。
【請求項２】
前記請求項１に記載の活魚水槽装置におけるろ過槽の逆洗浄構造において、前記水槽内には、気泡発生器が設けられており、該気泡発生器は前記エアーポンプと配管で接続されていることを特徴とする活魚水槽装置におけるろ過槽の逆洗浄構造。
【発明の詳細な説明】
【技術分野】
【０００１】
本発明は、活魚水槽装置におけるろ過槽の逆洗浄構造に関する。
【背景技術】
【０００２】
従来、この種の活魚水槽装置は、活魚等を入れる水槽と、水槽内に連通された泡沫分離槽と、泡沫分離槽で処理された海水をろ過するろ過槽と、ろ過した海水を再び水槽に循環させる循環ポンプ槽と、海水を殺菌する殺菌槽とを備えたものが公知である（例えば、特許文献１参照）。
【０００３】
活魚水槽装置の水槽に貯留されている海水は、餌の食べ残しや活魚等の排泄物等の汚泥を除去する必要がある。前記特許文献１の活魚水槽装置は、水槽の底部にから海水が取水され、泡沫分離槽に送水される。そして、この水槽の底部から送水される海水とともに汚泥も泡沫分離槽に入る構成である。
【０００４】
泡沫分離槽には、上部に蓄積された汚泥のみの気泡を外部に流出させる汚泥排出管が設けられ、更に、底部には、ブロワーより空気を送る気泡発生器が設けられている。従って、泡沫分離槽に入った汚泥は、気泡となって上部に蓄積され汚泥排出管から排出される。
【０００５】
泡沫分離槽を通過した海水はろ過槽に入り、このろ過槽で不純物が除去された海水は、殺菌槽で殺菌された後に、再び水槽に循環するように構成されている。
【０００６】
また、ろ過槽の底部には、逆洗浄装置が設けられている場合がある。この逆洗浄装置は、ブロワーにより送られた圧縮空気により、ろ材をろ過槽内の海水中で浮遊させたり攪拌させたりする周知のものが採用される。
【特許文献１】特開２００１−２５８４２３号公報
【発明の開示】
【発明が解決しようとする課題】
【０００７】
前記従来の活魚水槽装置に使用される逆洗浄装置は、ブロワーから供給される空気により、ろ過槽内のろ材全体を一度に逆洗浄する構成である。ブロワーの性能が不十分では、洗浄能力が落ちるため、ろ過槽内の大量のろ材を一度に浮遊させることができる大型の逆洗浄専用のブロワーが必要となる。
【０００８】
また、逆洗浄専用のブロワーを使用するため、作業者は、その大型のブロワーを活魚水槽装置まで搬送しなければならず、逆洗浄作業が煩雑で面倒になっていた。
【０００９】
本発明は、ろ過槽内に逆洗浄装置を複数個配置し、その複数個の逆洗浄装置の内から任意の逆洗浄装置を選択し、搭載されている既設のエアーポンプを利用して空気の供給を集中させることにより、洗浄能力を高めることを課題とする。
【課題を解決するための手段】
【００１０】
本発明は、前記課題を解決するためになされたもので、水槽と、該水槽内に連通する泡沫分離槽と、該泡沫分離槽で処理された水をろ過するろ過槽と、前記泡沫分離槽内に設けられた泡沫分離分散器に空気を送るエアーポンプと、前記ろ過槽内に収容されたろ材を逆洗浄すべく空気を噴出する逆洗浄装置とを備え、前記水槽内に貯留された水を、ろ過槽を通過させて処理した後に水槽内に循環するように構成した活魚水槽装置におけるろ過槽の逆洗浄構造であって、前記逆洗浄装置は、複数個がろ過槽の下部に設けられ、各逆洗浄装置には、それぞれ独立して空気を送る供給管が接続され、前記エアーポンプと前記泡沫分離分散器とを接続する配管には、前記逆洗浄装置に空気を供給するための逆洗浄用管が接続され、前記エアーポンプは、前記泡沫分離分散器または前記逆洗浄装置の何れか一方に空気を供給すべく、切換え可能に構成され、しかも、前記逆洗浄用管に、前記逆洗浄装置の供給管を選択して接続できるように、前記逆洗浄用管の端部には、可撓性を有するフレキシブルホースの一端が接続され、該フレキシブルホースの他端は、前記逆洗浄装置の供給管と着脱自在に構成されたことにある。
【００１１】
前記本発明は、水槽内の水を処理し循環させる通常運転においては、エアーポンプは空気を泡沫分離槽の泡沫分離分散器に送る。
【００１２】
ろ過槽のろ材を逆洗浄する場合には、エアーポンプの空気の供給を逆洗浄用管側に切換えるとともに、逆洗浄用管を選択した逆洗浄装置の供給管に接続し、ろ材を部分的に集中して逆洗浄する。
【００１３】
さらに、他の逆洗浄装置の供給管に接続し、前記とは相違する領域のろ材を順次逆洗浄する。このようにろ材を部分的に逆洗浄するため、既設のエアーポンプで洗浄能力を高めることができ、ろ材を確実に逆洗浄することができる。かかる場合には、フレキシブルホースを自由に曲げて、任意の逆洗浄装置の供給管に容易に接続できる。
【００１４】
本発明の前記ろ過槽の逆洗浄構造において、前記水槽内には、気泡発生器が設けられており、該気泡発生器は前記エアーポンプと配管で接続されている。
【発明の効果】
【００１８】
本発明は、複数個の逆洗浄装置の内から選択した逆洗浄装置に、エアーポンプからの空気の供給を集中させるため、小型のエアーポンプであっても逆洗浄が十分可能となり、既設のエアーポンプを利用することができる。この結果、別途大型のブロワーが不要となり、逆洗浄作業を容易に行なうことができる。
【発明を実施するための最良の形態】
【００１９】
以下、本発明に係る活魚水槽装置の実施の形態について、図面を参照しながら説明する。図１〜図８は、本発明の一実施の形態を示す。
【００２０】
図４〜図６において、活魚水槽装置１は、生きた魚等を数日間一時的にストックさせておくもので、平面視矩形状を呈するとともに断熱性を有する水槽装置本体７を備えている。水槽装置本体７は、前後側壁１１、１２と、左右側壁１３、１４と、底壁１５とからなる。この水槽装置本体７は、水槽２、泡沫分離槽３、ろ過槽４、ポンプ槽５および殺菌槽６に区画されている。なお、泡沫分離槽３、ろ過槽４、ポンプ槽５および殺菌槽６は、水槽装置本体７の長手方向の一方側（図４に示す右側）に配置されており、水処理槽を構成している。
【００２１】
水槽２と泡沫分離槽３とは、図３および図４に示すように水槽装置本体７の前後側壁１１、１２間にわたって設けられた隔壁３１で区画されており、その隔壁３１の下部には、水槽２と泡沫分離槽３と連通する開口（下水流出スリット）３２が形成されている。従って、水槽２内の海水は、この下水流出スリット３２を介して泡沫分離槽３内に流入するようになっている。なお、この下水流出スリット３２は、水槽装置本体７の前側壁１１の近傍に形成されている。
【００２２】
泡沫分離槽３の上部には、図７（ａ）に示すように泡沫分離カバー３０が設けられ、泡沫分離カバー３０の一方が泡沫分離槽３内に向けて傾斜しており、泡沫分離槽３内に貯留されている海水内に臨むようになっている。泡沫分離槽３の底部には、泡沫分離分散器３４が設けられている。泡沫分離分散器３４は、水槽装置本体７に架設された機械台８に設置されたエアーポンプ（ブロワー）３３により、空気を送り微細な気泡を発生させるものである。
【００２３】
ブロワー３３と泡沫分離分散器３４とは、図１に示すように配管７０で接続されている。すなわち、２台のブロワー３３、３３から延設されたそれぞれの配管７０ａは、配管７０に接続されている。また、水槽２内には、海水に酸素を供給する気泡発生器２３が設けられ、該気泡発生器２３は分岐配管６９を介して前記配管７０と接続されている。なお、配管７０には開閉バルブ７２、７３が設けられ、分岐配管６９には開閉バルブ７４が設けられている。
【００２４】
泡沫分離カバー３０には、図７（ａ）に示すように、泡沫分離分散器３４により発生し泡沫分離槽３の上部に蓄積された汚泥の気泡３５を外部に流出させる汚泥排出管３６が連結されている。
【００２５】
隔壁３１の上部には、図７（ａ）および（ｂ）に示すように、水槽２内の上水を泡沫分離槽３に流入させる上水取装置３７が設けられている。この上水取装置３７は、隔壁３１の上部を切り欠いて形成した開口３８部に取り付けられる取付体３７ｂと、この取付体３７ｂに一対のアーム３９を介して揺動自在に設けられた円柱状のフロート３７ａとから構成されている。
【００２６】
そして、このフロート３７ａが水槽２内の水面高さに応じて上下に移動することにより、汚泥の泡と上水を泡沫分離槽３に優先的に吸い込むことができる。フロート３７ａは、浮力により水面近傍を浮遊するようになっており、水位が変化しても、上水を常時吸水することができる。このように、水槽２内の底水と上水とを泡沫分離槽３に取り入れることにより、一箇所で最終的に効率よく処理することができる。
【００２７】
泡沫分離槽３とろ過槽４とは、図３に示すように、水槽装置本体７の前後側壁１１、１２間にわたって設けられた隔壁４０で区画されている。隔壁４０には、泡沫分離槽３とろ過槽４とを連通するろ過槽流入口４１が形成されている。
【００２８】
ろ過槽４は、その内部の下方に通水する各種形状の通孔を設けた多孔板４２が敷設されている。この多孔板４２の上面には、砂等の各種のろ材４３が積層して収容されている。また、隔壁４０には、ろ過槽流入口４１に連通する筒状体からなる流水部（ベンチレータボックス）４４がろ過槽４内に臨むように設けられている。
【００２９】
ベンチレータボックス４４には、袋状に形成されたフィルター４５の口部４５ａが、着脱自在に取り付けられている。フィルター本体４５は、可撓性を有する合成樹脂製のネットからなり、このフィルター４５はろ材４３の上方に位置する。
【００３０】
ろ過槽４の底部と多孔板４２との間で形成される空間４７が、隣接するポンプ槽５に連通されており、ろ材４３でろ過された海水は、空間４７を流れてポンプ槽５に流入するようになっている。また、空間４７内には、逆洗浄装置としての洗浄用空気配管４６が設けられている。この洗浄用空気配管４６は、前記ブロワー３３から圧送される空気により、ろ材４３を浮遊等させて逆洗浄するものである。
【００３１】
洗浄用空気配管４６はろ過槽４の底部の前後方向に所定の間隔をおいて複数個設けられている。なお、本実施の形態では、４個の洗浄用空気配管４６が所定の間隔をおいて設けられている。各洗浄用空気配管４６は、配管を矩形状に連通形成したもので、空気が噴出されるノズル口（図示省略）が適宜形成されている。各洗浄用空気配管４６には、図１に示すように、供給管７１ａ〜７１ｄがそれぞれ接続されており、供給管７１ａ〜７１ｄの上端部は、互いに接近するようになっている。供給管７１ａ〜７１ｄの上端部は、例えば機械台８に上向きに固定されている。
【００３２】
また、前記配管７０で且つ開閉バルブ７２よりも上流位置には、逆洗浄用管７５が接続されている。逆洗浄用管７５の先端には、フレキシブルホース７６の一端が接続されている。このフレキシブルホース７６の他端は、前記洗浄用空気配管４６の各供給管７１ａ〜７１ｄの上端部に択一的に選択して差し込むことにより、着脱自在に接続できるようになっている。各供給管７１ａ〜７１ｄの上端部は、接近させて水槽装置本体７のフレキシブルホース７６が装着し易い箇所に集中させておくのが好ましい。
なお、逆洗浄用管７５には、開閉バルブ７７が設けられており、この開閉バルブ７７および前記開閉バルブ７２を操作して、泡沫分離分散器３４および気泡発生器２３、または洗浄用空気配管４６の何れか一方に空気を供給すべく、切換え可能に構成されている。
【００３３】
ポンプ槽５には、その内部に海水を吸上げる縦型の軸流ポンプからなる循環ポンプ５０が設けられている。また、機械台８には、クラー５１およびヒーター（図示省略）の少なくとも一方が設置されている。
【００３４】
機械台８には、ブロワー３３、循環ポンプ５０およびクラー５１（またはヒーター）を制御する制御装置５５が設けられている。そして、ポンプ槽５内の海水は、クラー５１により冷却されるか、あるいはヒーターにより加熱されて設定水温を維持するように制御されている。循環ポンプ５０の流出口部５１は、ＵＶ殺菌槽６に向かって延設配管されており、ポンプ槽５内の海水は、循環ポンプ５０によりＵＶ殺菌槽６に流入するようになっている。
【００３５】
殺菌槽６には、図８に示すようにＵＶランプ６０を備えた殺菌装置６１が設けられている。殺菌槽６は、前記隔壁３１で水槽２と区画されているとともに、長尺状の送水管２０を介して前記水槽２と連通されている。
【００３６】
送水管２０は、後側壁１２の内面上部でかつ水槽装置本体７の長手方向に沿って取り付けられている。なお、送水管２０の高さ位置は、特に限定されるものではないが、水槽２内に貯留された海水に浸漬する高さに設定する。
【００３７】
送水管２０の一端は殺菌槽６と連通するとともに、他端は左側壁１４に当接または接近して閉塞されており、水槽２の長手方向（左右方向）の全長にわたって送水路が構成されている。送水管２０の他端部には、図４に示すように排水口２１が形成され、この排水口２１は、前記下水流出スリット３２に対して水槽２の平面視略対角線上に設けられている。また、排水口２１は海水の上部に位置し、下水流出スリット３２は、海水の底部に位置するため、水槽２内の海水を効果的に対流させることができる。
【００３８】
本実施の形態の活魚水槽装置１は、以上の構成からなり、次にその装置の作用について説明する。
【００３９】
先ず、循環ポンプ５０を始動してポンプ槽５内の海水を殺菌槽６に注入する。このポンプ槽５内の海水は、クラー５１またはヒーターにより、設定水温（例えば略１８℃）に冷却または加熱され維持されている。また、このような通常運転においては、逆洗浄用管７５の開閉バルブ７７を閉じ、配管７０および分岐配管６９の開閉バルブ７２、開閉バルブ７３および開閉バルブ７４を開放する。従って、ブロワー３３からの空気は、配管７０を通って泡沫分離分散器３４および気泡発生器２３に送られている。
【００４０】
殺菌槽６の内部において流水中に浮遊するバクテリア、細菌及びその他の微生物を効率的に死滅させ処理する。処理され且つ設定水温に維持された海水は殺菌槽６の上部より送水管２０に流入する。この送水管２０は、断熱性を有する水槽２内の海水に浸漬されていることから、外気温度の影響を受けることはなく、熱ロスのおそれがない。
【００４１】
送水管２０を通った海水は、排出口２１から水槽２内に排出される。水槽２内の海水は、水槽２の底部にある下水流出スリット３２を介して泡沫分離槽３に流入する。このとき、水槽２の底部に沈んでいる汚泥も海水とともに泡沫分離槽３に流入することとなる。また、上水取装置３７により水槽２の水面の汚泥の泡３５ａと上水が、優先的に泡沫分離槽３に吸い込まれる。
【００４２】
泡沫分離槽３において、泡沫分離分散器３４により気泡が発生し、底水とともに流入した汚泥と、上水とともに流入した汚泥とを気泡で吸着し水面に浮遊させる。泡沫分離槽３の上部に蓄積された汚泥の気泡３５を汚泥排出管３６が外部に流出させる。
【００４３】
泡沫分離槽３内の海水に混在する大きい固形状の汚泥は、泡沫分離分散器３４から発生する気泡により海水の略中間を浮遊する。泡沫分離槽３内の海水は、ろ過槽流入口４１およびベンチレータボックス４４を通って、次のろ過槽４の上部より、内部のろ材４３及び多孔板４２にろ過され、ポンプ槽５に流入する。設定水温に制御された海水は、再びろ過工程、殺菌工程を経て循環する。
【００４４】
次に、ろ過槽４を逆洗浄する場合について説明する。まず、開閉バルブ７２を閉じるとともに、フレキシブルホース７６を供給管７１ａ〜７１ｄに接続する。例えば、図２に示す左側の洗浄用空気配管４６ａと接続する。
【００４５】
さらに、開閉バルブ７７を開放して、ブロワー３３の空気を左側の洗浄用空気配管４６ａに切換え集中的に供給する。空気は、この洗浄用空気配管４６のみから独立して噴出され、その洗浄用空気配管４６の上部に位置する領域のろ材４３が浮遊され逆洗浄される。
【００４６】
同様にして、この洗浄用空気配管４６に隣接する他の洗浄用空気配管４６も順次逆洗浄する。このように、任意の洗浄用空気配管４６を選択して、ろ材４３を集中的に逆洗浄し、洗浄領域を複数に分割するため、ろ材全体を一度に逆洗浄する場合に比し、小さな能力のブロワーで逆洗浄が可能となる。この結果、既設のブロワー３３の能力で十分洗浄能力を高めることができ、別途専用の大型のブロワーが不要となる。なお、逆洗浄後のろ過槽４内の海水は、適宜排出配管（図示省略）から排出される。
【００４７】
本発明は、前記実施の形態に限定されるものではない。例えば、洗浄用空気配管４６の数は４個に限らず、搭載されているブロワーの能力や、ろ材４３の積層量等の条件により、適宜設定可能である。
【００４８】
また、ブロワーは、洗浄用空気配管４６および気泡発生器２３の何れか一方に、空気を供給もであっても、他の構成部品に空気を供給するものであってもよい。
【００４９】
水槽２には、海水以外に通常の水であってもよく、水槽２に入れられる魚等の種類により適宜決定される。
【図面の簡単な説明】
【００５０】
【図１】本発明の一実施の形態に係る活魚水槽装置の配管の概略を示す斜視図である。
【図２】同活魚水槽装置のろ過槽の逆洗浄の状態を示す断面図である。
【図３】図７（ａ）におけるＣ−Ｃ線断面図である。
【図４】本発明の一実施の形態に係る活魚水槽装置の全体概略平面図である。
【図５】同活魚水槽装置の全体概略正面図である。
【図６】同活魚水槽装置の全体概略側面図である。
【図７】（ａ）は本発明の一実施の形態に係る活魚水槽装置の断面側面図、（ｂ）は（ａ）におけるＢ−Ｂ線断面図である。
【図８】図５におけるＡ−Ａ線断面図である。
【符号の説明】
【００５１】
１      活魚水槽システム
２      水槽
３      泡沫分離槽
４      ろ過槽
５      ポンプ槽
６      殺菌槽
７      水槽装置本体
３３    ブロワー（エアーポンプ）
３４    泡沫分離分散器
４６    洗浄用空気配管（逆洗浄装置）
６９    分岐配管
７０    配管
７０ａ  配管
７１ａ〜７１ｄ    供給管
７６    フレキシブルホース
【図１】
0004909197.tif 000002
【図２】
0004909197.tif 000003
【図３】
0004909197.tif 000004
【図４】
0004909197.tif 000005
【図５】
0004909197.tif 000006
【図６】
0004909197.tif 000007
【図７】
0004909197.tif 000008
【図８】
0004909197.tif 000009